(57)【要約】　　【課題】　図柄変動時の演出効果が向上し、遊技者の興趣を喚起できる弾球遊技機を提供する。  　【解決手段】　図柄始動手段13と、図柄始動手段13が遊技球を検出したことを条件に複数個の抽選用図柄表示部20a,20b,20c に複数種類の抽選用図柄22a,22b,22c を選択的に停止表示可能な図柄表示手段19と、図柄表示手段19の停止図柄が予め定められた特定図柄の組み合わせとなったときに、遊技者に有利な特別遊技状態を発生させる特別遊技状態発生手段39とを備え、図柄表示手段19は、選択用図柄23を表示可能な選択用図柄表示部21を備え、選択用図柄表示部21に表示される選択用図柄23の内、少なくとも一つを選択して抽選用図柄表示部20a,20b,20c に抽選用遊技図柄22a,22b,22c として停止表示させる機能を備えたものである。【選択図】　　図４
2004000798.tif 000002
【特許請求の範囲】
【請求項１】
図柄始動手段(13)と、該図柄始動手段(13)が遊技球を検出したことを条件に複数個の抽選用図柄表示部(20a)(20b)(20c) に複数種類の抽選用図柄(22a)(22b)(22c) を選択的に停止表示可能な図柄表示手段(19)と、該図柄表示手段(19)の停止図柄が予め定められた特定図柄の組み合わせとなったときに、遊技者に有利な特別遊技状態を発生させる特別遊技状態発生手段(39)とを備えた弾球遊技機において、前記図柄表示手段(19)は、選択用図柄(23)を表示可能な選択用図柄表示部(21)を備え、該選択用図柄表示部(21)に表示される選択用図柄(23)の内、少なくとも一つを選択して前記抽選用図柄表示部(20a)(20b)(20c) に前記抽選用図柄(22a)(22b)(22c) として停止表示させる機能を備えたことを特徴とする弾球遊技機。
【発明の詳細な説明】
【技術分野】
【０００１】
本発明は、パチンコ機、アレンジボール機、雀球遊技機等の弾球遊技機に関するものである。
【背景技術】
【０００２】
パチンコ機等の弾球遊技機では、遊技盤の遊技領域に、図柄始動手段、可変入賞手段等の他に、３個の特別図柄を表示する特別図柄表示手段を設けると共に、図柄始動手段が遊技球を検出したときに特別図柄表示手段の特別図柄を所定時間変動させる特別図柄変動制御手段を設けておき、図柄始動手段が遊技球を検出することを条件に、特別図柄変動制御手段の制御により特別図柄表示手段の特別図柄を所定時間変動させて、その変動後に停止表示される特別図柄が特定表示となったときに、可変入賞手段を開放する等、遊技者に有利な特別遊技状態を発生させるようにしたものがある。
【０００３】
　この特別図柄を変動させる際の図柄変動方式には、従来、特別図柄表示手段の３個の特別図柄表示部内に表示される特別図柄を所定の変動パターンに従って所定方向にスクロールさせるスクロール方式、或いはスクロール方式での変動中、取り分けリーチ変動時に各特別図柄表示部内で図柄自体の大きさを変化させて拡大又は縮小表示する拡大・縮小方式等がある。
【発明の開示】
【発明が解決しようとする課題】
【０００４】
　従来の特別図柄の変動表示方式は、スクロール方式、拡大・縮小方式の何れの場合でも、高速変動、中速変動、低速変動等を組み合わせながら一定方向に変動させ、変動動作の最終段階で遊技者が識別可能な速度まで変動速度を落として、各抽選用遊技図柄を所定図柄で停止させるようになっている。
【０００５】
　しかし、従来の多くの変動表示方式では、特別図柄の変動開始から変動終了までの全過程を通じて、特別図柄が特別図柄表示部内で変動するだけであるため変化に乏しく、図柄変動の演出性に欠け、遊技者の興趣を十分に喚起できないという問題がある。
【０００６】
　本発明は、このような従来の問題点に鑑み、図柄変動時の演出効果が向上し、遊技者の興趣を喚起できる弾球遊技機を提供することを目的とする。
【課題を解決するための手段】
【０００７】
本発明は、図柄始動手段13と、該図柄始動手段13が遊技球を検出したことを条件に複数個の抽選用図柄表示部20a,20b,20c に複数種類の抽選用図柄22a,22b,22c を選択的に停止表示可能な図柄表示手段19と、該図柄表示手段19の停止図柄が予め定められた特定図柄の組み合わせとなったときに、遊技者に有利な特別遊技状態を発生させる特別遊技状態発生手段39とを備えた弾球遊技機において、前記図柄表示手段19は、選択用図柄23を表示可能な選択用図柄表示部21を備え、該選択用図柄表示部21に表示される選択用図柄23の内、少なくとも一つを選択して前記抽選用図柄表示部20a,20b,20c に前記抽選用図柄22a,22b,22c として停止表示させる機能を備えたものである。
【発明の効果】
【０００８】
本発明によれば、図柄始動手段13と、該図柄始動手段13が遊技球を検出したことを条件に複数個の抽選用図柄表示部20a,20b,20c に複数種類の抽選用図柄22a,22b,22c を選択的に停止表示可能な図柄表示手段19と、該図柄表示手段19の停止図柄が予め定められた特定図柄の組み合わせとなったときに、遊技者に有利な特別遊技状態を発生させる特別遊技状態発生手段39とを備えた弾球遊技機において、図柄表示手段19は、選択用図柄23を表示可能な選択用図柄表示部21を備え、該選択用図柄表示部21に表示される選択用図柄23の内、少なくとも一つを選択して抽選用図柄表示部20a,20b,20c に抽選用図柄22a,22b,22c として停止表示させる機能を備えているので、図柄変動時の演出効果が向上して遊技者の興趣を喚起できる。
【発明を実施するための最良の形態】
【０００９】
以下、本発明の実施形態を図面に基づいて詳述する。図１〜図５は本発明の第１の実施形態を例示し、図１において、1 は遊技機本体で、開閉自在に枢着された前枠2 を有する。前枠2 には、遊技盤3 が裏側から着脱自在に装着され、この遊技盤3 の前側にガラス扉4 と前面板5 とが開閉自在に配置されている。前面板5 には、発射用の遊技球を貯留する上皿6 が装着されている。前枠2 の下部には、余剰球を貯留する下皿7 と、発射手段8 の発射ハンドル9 とが夫々設けられている。
【００１０】
遊技盤3 には、図２に示すように、ガイドレール10が環状に装着されると共に、そのガイドレール10の内側の遊技領域11に液晶表示手段12、特別図柄始動手段13、可変入賞手段14、普通入賞手段15〜17、普通図柄始動手段18等の遊技部品が配置されている。
【００１１】
液晶表示手段12は、遊技者に対して通常の遊技画像等の遊技情報を表示する他、特別図柄表示手段19を兼用している。特別図柄表示手段19は、図３に示すように、複数個、例えば３個の特別図柄表示部20a,20b,20c と、この各特別図柄表示部20a,20b,20c に共通の選択用図柄表示部21とを備えている。
【００１２】
　特別図柄表示部20a,20b,20c は、その夫々に特別図柄22a,22b,22c を停止表示可能であって、特別図柄表示手段19の下部に横方向に一列状に配置されている。特別図柄22a,22b,22c は、図柄変動後の遊技が特別遊技か否かの遊技条件を抽選により決定するための抽選用遊技図柄であって、特別図柄始動手段13が遊技球を検出することを条件に、乱数制御によって所定時間変動して停止するようになっている。
【００１３】
　選択用図柄表示部21は、３個の特別図柄表示部20a,20b,20c に跨がってその上側に横方向に配置されており、この選択用図柄表示部21は、各特別図柄表示部20a,20b,20c の特別図柄22a,22b,22c に共通の複数個の選択用図柄23を横一列状に同時に表示可能であると共に、この複数個の選択用図柄23の内、各特別図柄表示部20a,20b,20c の特別図柄22a,22b,22c として選択すべき図柄を指示する選択指示部24を表示可能である。
【００１４】
　複数個の選択用図柄23は移動不能であり、また選択指示部24は、特別図柄始動手段13が遊技球を検出したときに選択用図柄23に対してａ矢示方向（図５参照）へと移動を開始し、その移動中に何れかの選択用図柄23に対応する位置で短時間だけ停止したときに、その位置の選択用図柄23の選択を指示するようになっている。選択指示部24により選択された選択用図柄23は、その表示位置から停止表示すべき特別図柄表示部20a,20b,20c へと拡大しながら移動するべく動画的に表示される。
【００１５】
　なお、特別図柄22a,22b,22c 及び選択用図柄23には、数字図柄、アルファベット図柄、キャラクター図柄、その他の適宜図柄を使用可能であり、この実施形態では０〜９までの１０種類の数字図柄が使用されている。選択用図柄表示部21には、０〜９までの１０種類の数字図柄が表示されている。
【００１６】
液晶表示手段12には、その上部に普通図柄表示手段25が設けられている。普通図柄表示手段25は１個又は複数個、例えば１個の普通図柄表示部を有し、普通図柄始動手段18が遊技球を検出することを条件に、その普通図柄表示部の普通図柄が乱数制御により所定時間変動して停止するようになっている。なお、この実施形態では普通図柄にも０〜９までの１０種類の数字図柄が使用されている。
【００１７】
特別図柄始動手段13は、遊技者に不利な第１状態（閉状態）と有利な第２状態（開状態）とに変換動作可能であって、開閉自在な左右一対の開閉爪26を備えた電動チューリップが使用されている。特別図柄始動手段13は、変動後に普通図柄表示手段25に停止表示される普通図柄が、予め定められた所定図柄又は所定図柄の組み合わせ（当たり図柄）となったときに、開閉爪26が所定時間開放するようになっている。普通図柄始動手段18は通過ゲート等によって構成されている。
【００１８】
可変入賞手段14は、遊技者に不利な第１状態（閉状態）と有利な第２状態（開状態）とに変換動作可能であって、下部側の横軸廻りに開閉自在に枢支された開閉板27を備え、変動後に各表示領域に停止表示される特別図柄22a,22b,22c が特定表示（例えば「３・３・３」「５・５・５」「７・７・７」等のように、予め定められた特定図柄又は特定図柄の組み合わせ（所謂大当たり図柄））となったときに、開閉板27が前側に開放して遊技者に有利な特別遊技状態に移行するようになっている。
【００１９】
可変入賞手段14にはその内部に特定領域28が設けられており、この特定領域28を入賞球が通過したときに、特別遊技状態を継続させるようになっている。なお、可変入賞手段14は、開放後に所定時間が経過したとき、又は所定数（例えば１０個）の遊技球が入賞したときに開閉板27が閉じると共に、遊技球が特定領域28を通過することを条件に、最大所定回数（例えば１６回）まで開閉動作を繰り返すようになっている。
【００２０】
図４は制御系を例示するブロック図である。図４において、29は第１抽選手段で、当たり・外れ決定用乱数を発生させておき、普通図柄始動手段18での遊技球の検出を条件に、その当たり・外れ決定用乱数の乱数値を抽選して当たり遊技か否かを決定するためのものである。
【００２１】
30は普通図柄変動制御手段で、普通図柄始動手段18が遊技球を検出することを条件に普通図柄表示手段25の普通図柄を所定時間変動させると共に、そのときの第１抽選手段29の抽選結果に応じて、当たり乱数値を抽選したときに当たり図柄で、外れ乱数値を抽選したときに外れ図柄で夫々普通図柄表示手段25の普通図柄を停止させるためのものである。
【００２２】
　31は第１保留球数記憶手段で、普通図柄表示手段25の普通図柄の変動中に普通図柄始動手段18が遊技球を検出したときに、その遊技球の保留球数を設定上限個数（例えば４個）内で順次記憶しておき、先の変動動作の終了後にその保留個数分だけ順次普通図柄を変動させるためのものである。
【００２３】
　32は開閉制御手段で、普通図柄表示手段25の変動後の普通図柄が所定の当たり条件、例えば「７」か否かを判定し、そのときの普通図柄が当たり図柄を停止表示することを条件に、特別図柄始動手段13を所定時間（例えば０．５秒間程度）開放させるためのものである。
【００２４】
33は第２抽選手段で、特別遊技か否かを抽選するための遊技条件抽選用乱数（例えば大当たり・外れ決定用乱数）、リーチ演出決定用リーチ乱数（外れ用）、図柄変動パターン決定用乱数、停止図柄決定用乱数等の所定の乱数を発生させておき、特別図柄始動手段13での遊技球の検出を条件に、その各乱数値を抽選して特別図柄22a,22b,22c の変動後の遊技条件、選択指示部24の図柄変動パターン、特別図柄22a,22b,22c の停止時の停止図柄等を決めるためのものである。
【００２５】
　なお、特別図柄22a,22b,22c の変動後の遊技条件には、第２抽選手段33が大当たり乱数値を抽選したときの大当たり遊技（特別遊技状態）と、外れ乱数値を抽選したときの外れ遊技（非特別遊技状態）との２種類がある。
【００２６】
　34は第２保留球数記憶手段で、特別図柄表示手段19の特別図柄22a,22b,22c の変動中に特別図柄始動手段13が遊技球を検出したときに、その遊技球の保留球数を設定上限個数（例えば４個）内で順次記憶しておき、先の変動動作の終了後に保留個数分だけ順次特別図柄22a,22b,22c を変動させるためのものである。
【００２７】
　35は特別図柄変動制御手段で、特別図柄始動手段13が遊技球を検出することを条件に、第２抽選手段33により抽選された大当たり・外れ決定用乱数、リーチ演出決定用リーチ乱数、図柄変動パターン決定用乱数、停止図柄決定用乱数等の抽選乱数値の乱数処理により、選択用図柄表示部21の選択指示部24を所定の図柄変動パターンでａ矢示方向へと移動させて、選択用図柄表示部21の選択用図柄23の内から各特別図柄表示部20a,20b,20c に表示される特別図柄22a,22b,22c を選択し、その選択用図柄23を各特別図柄表示部20a,20b,20c の特別図柄22a,22b,22c として停止表示させるためのものである。
【００２８】
そして、この特別図柄変動制御手段35は、第２抽選手段33での抽選結果を判定する抽選結果判定部36と、選択用図柄表示部21の表示制御を行う選択用図柄表示制御部37と、特別図柄表示部20a,20b,20c の表示制御を行う特別図柄表示制御部38とを備えている。
【００２９】
抽選結果判定部36は、第２抽選手段33の抽選結果である抽選乱数値から、その抽選乱数値が大当たり乱数値のときの特別遊技と、外れ乱数値のときの非特別遊技とを夫々判定すると共に、リーチ演出、図柄変動パターン、停止図柄の種類等を判定するためのものである。
【００３０】
選択用図柄表示制御部37は、特別図柄始動手段13が遊技球を検出した場合に特別図柄表示手段19の選択用図柄表示部21に「０」〜「９」までの選択用図柄23を表示する機能と、図柄変動パターン決定用乱数により決定された図柄変動パターンで選択用図柄表示部21の選択指示部24を移動させ且つ停止図柄決定用乱数で決定された１個の選択用図柄23に対応する位置で選択指示部24の移動を一時的に停止させる機能とを有する。
【００３１】
　特別図柄表示制御部38は、選択用図柄表示部21に表示される選択用図柄23の内、選択指示部24により順次指示された選択用図柄23を選択して、その選択用図柄23を表示位置から各特別図柄表示部20a,20b,20c へと動画的に拡大しながら移動させて、各特別図柄表示部20a,20b,20c に特別図柄22a,22b,22c として停止表示させる機能を有する。特別図柄表示制御部38は、３個の特別図柄表示部20a,20b,20c の各特別図柄22a,22b,22c を同時又は所定の時間をおいて所定の順序、例えば左、右、中の順序で停止表示させるようになっている。
【００３２】
　なお、選択用図柄表示制御部37、特別図柄表示制御部38は、第２抽選手段33が大当たり乱数値を抽選した場合には、特別図柄表示部20a,20b,20c に停止図柄決定用乱数で決定された特定図柄の組み合わせを、外れ乱数値を抽選した場合には、特別図柄表示部20a,20b,20c に停止図柄決定用乱数で決定された外れ図柄を夫々停止表示させるように制御し、またリーチ演出決定用のリーチ乱数値を抽選した場合には、そのリーチ乱数値により決定されるリーチ演出を行うように制御する。
【００３３】
　39は特別遊技状態発生手段で、抽選結果判定部36が特別遊技と判定した場合及び／又は特別図柄表示手段19の変動後の停止図柄が特定表示の場合に、遊技者に有利な特別遊技状態を発生させるためのものである。この特別遊技状態発生手段39は、例えば特別遊技状態の発生時に可変入賞手段14の開閉板27を開放し、その開放後に所定時間が経過したとき、又は所定数（例えば１０個）の遊技球が入賞したときに開閉板27が閉じ、遊技球が特定領域28を通過することを条件に、最大所定回数（例えば１６回）まで開閉動作を継続させるようになっている。
【００３４】
上記弾球遊技機において、遊技に際しては、発射手段8 の発射ハンドル9 を操作して、発射手段8 により遊技球をガイドレール10に沿って順次遊技盤3 側に発射させて行く。すると遊技盤3 の上部側に発射された遊技球は、遊技盤3 の遊技領域11に入った後、その盤面に沿って落下する間に普通入賞手段15〜17等に入賞するか、普通図柄始動手段18を通過しながら下方へと落下する。
【００３５】
　遊技球が普通図柄始動手段18を通過すると、第１抽選手段29がそのときの発生乱数を抽選して、その乱数制御により普通図柄変動制御手段30が普通図柄表示手段25の普通図柄を変動させる。そして、普通図柄表示手段25の変動後の停止図柄が例えば「７」等の当たり図柄になれば、開閉制御手段32により特別図柄始動手段13の開閉爪26が所定時間開放して、この特別図柄始動手段13に遊技球が入賞し易くなり、遊技者に有利な当たり遊技状態が発生する。
【００３６】
　遊技球が特別図柄始動手段13に入賞すると、その遊技球の検出時に第２抽選手段33が発生乱数を抽選して、特別図柄変動制御手段35がその乱数制御により特別図柄表示手段19を制御する。そして、選択用図柄表示部21の選択指示部24が所定時間ａ矢示方向へと移動しながら選択用図柄23を順次３個選択し、その選択用図柄23を各特別図柄表示部20a,20b,20c に特別図柄22a,22b,22c として停止表示させて行く。
【００３７】
　第２抽選手段33が大当たり乱数値を抽選すれば、特別図柄変動制御手段35の制御により、特別図柄表示手段19の変動後の特別図柄22a,22b,22c が、例えば「７・７・７」等の特定表示になると共に、特別遊技状態発生手段39が働いて遊技者に有利な特別遊技状態が発生し、可変入賞手段14が前側に開放して遊技球が入賞し易くなる。
【００３８】
　この可変入賞手段14の開放から所定時間が経過するか、又は所定数の遊技球が入賞すると、可変入賞手段14が閉じる。しかし、可変入賞手段14の開放中に遊技球が特定領域28を通過すれば、可変入賞手段14が再度開放し、以下同様の開閉動作を最大１６回まで繰り返す。なお、特別図柄表示手段19の変動後の停止図柄が特定表示以外の非特定表示のときには、特別遊技状態発生手段39は特別遊技状態を発生しない。
【００３９】
　第２抽選手段33が例えば外れ乱数値を抽選した場合、特別図柄変動制御手段35の選択用図柄表示制御部37の制御により、選択用図柄表示部21の選択指示部24が１０個の選択用図柄23を目視可能な速度で指示しながらａ矢示方向へと繰り返し移動する。つまり、選択指示部24がａ矢示方向へとスクロールする。そして、停止図柄決定用乱数で決定された停止図柄が、例えば「７・５・３」の非特定表示の場合には、図５に示すような過程を経て停止表示に至る。
【００４０】
　先ず選択指示部24は、ａ矢示方向へと所定時間スクロールした後、選択用図柄表示制御部37の制御により、図５（Ａ）に示すように、選択用図柄23の図柄「７」に対応する位置で一時的に停止して、この図柄「７」を選択する。そして、選択用図柄23の図柄「７」を選択すると、特別図柄表示制御部38の制御により、その図柄「７」が左の特別図柄表示部20a へとｂ矢示方向へ移動し、その特別図柄表示部20a に図柄「７」を特別図柄22a として停止表示する。
【００４１】
　一方、選択指示部24は、再度ａ矢示方向へと所定時間移動した後、図５（Ｂ）に示すように、選択用図柄23の図柄「３」に対応する位置で一時的に停止し、その図柄「３」を選択する。そして、特別図柄表示制御部38の制御により、この選択用図柄23の図柄「３」が右の特別図柄表示部20c へとｃ矢示方向へ移動して、その特別図柄表示部20c に図柄「３」を特別図柄22c として停止表示する。
【００４２】
同様にして図５（Ｃ）に示すように、選択用図柄表示部21の選択用図柄23の中から選択用図柄23の図柄「５」を選択し、その図柄「５」を中の特別図柄表示部20b へとｄ矢示方向へ移動させ、特定図柄22b として停止表示させる。これによって３個の特別図柄表示部20a,20b,20c の各特別図柄22a,22b,22c が全て選択され、その後に「７・５・３」の非特定表示と確定する。
【００４３】
　このように選択用図柄表示部21に予め複数種類の選択用図柄23を表示しておき、その複数種類の選択用図柄23の中から、各特別図柄表示部20a,20b,20c に停止表示される選択用図柄23を選択指示部24で順次指示して選択し、その選択用図柄23を特別図柄表示部20a,20b,20c に順次特別図柄22a,22b,22c として停止表示させることにより、従来のスクロール式、その他の図柄変動方式に比較して図柄変動時の演出効果が向上し、遊技者の興趣を喚起できる利点がある。
【００４４】
　なお、この実施形態では、選択用図柄23を選択した後、その表示位置から特別図柄表示部20a,20b,20c へと選択用図柄23を拡大させながら移動させるようにしているが、選択指示部24により選択用図柄23を選択すれば、その図柄が特別図柄表示部20a,20b,20c の所定位置に所定の大きさで現れるようにしても良い。
【００４５】
　特別図柄22a,22b,22c は、特別図柄表示部20a,20b,20c の所定位置に現れた後、小さい状態から所定の大きさまで拡大しながら停止表示するようにしても良い。また特別図柄22a,22b,22c は、特別図柄表示部20a,20b,20c 内で拡大及び／又は縮小を１回又は複数回繰り返すか、又は上下、左右等の所定方向に複数回揺れ変動して停止表示するようにしても良い。
【００４６】
　図６は本発明の第２の実施形態を例示し、特別図柄表示制御部38に、複数個の特別図柄表示部20a,20b,20c の一部又は全部に上下に複数個、例えば２個の特別図柄22a,22b,22c を表示させる機能と、特別図柄表示部20a,20b,20c に表示される特別図柄22a,22b,22c の図柄数に応じて選択用図柄表示部21の選択指示部24を拡大、縮小させる等によって、その選択指示部24により適宜個数（１個又は複数個）の選択用図柄23を適宜選択指示する機能とを持たせている。
【００４７】
　この実施形態では、選択指示部24は、図６に示すように拡大、縮小を繰り返しながらａ矢示方向へと移動する。そして、例えば、図６（Ａ）に示すように、選択指示部24が選択用図柄23の「３」と「４」の２個に跨がって拡大した状態で停止すれば、その図柄「３」と図柄「４」が左の特別図柄表示部20a へと移動し、この図柄「３」と図柄「４」が左の特別図柄表示部20a に特別図柄22a として上下に停止表示される。
【００４８】
　次に図６（Ｂ）に示すように、選択用図柄23の１個の図柄「４」に対応すべく縮小した状態で選択指示部24が停止すれば、その図柄「４」が右の特別図柄表示部20c へと移動し、この図柄「４」が右の特別図柄表示部20c に特別図柄22c として停止表示される。
【００４９】
　その後、図６（Ｃ）に示すように、選択用図柄23の１個の図柄「９」に対応すべく縮小した状態で選択指示部24が停止すれば、その図柄「９」が中の特別図柄表示部20b へと移動し、その図柄「９」が中の特別図柄表示部20b に特別図柄22b として停止表示される。
【００５０】
　なお、変動後の停止図柄が特定表示となるか否か、また特別図柄表示部20a,20b,20c の図柄数を何個にし、その変動後の停止図柄をどの種類にするか等は、第２抽選手段33の抽選乱数値によって予め決定されており、全て乱数制御により制御されている。特別図柄表示部20a,20b,20c に複数個の図柄を特別図柄22a,22b,22c として停止表示するようにしても良い。    
【００５１】
　このように特別図柄表示部20a,20b,20c の一部又は全部に複数個の特別図柄22a,22b,22c を停止表示可能にすれば、遊技者の特定表示に対する期待感が見掛け上増大するため、図柄変動時の演出効果と相俟って遊技者の興趣が向上する利点がある。
【００５２】
　また選択用図柄表示部21での選択指示部24の拡大、縮小等によって、選択用図柄表示部21上で選択用図柄23の選択数が変化し、それによって特別図柄表示部20a,20b,20c に表示される特別図柄22a,22b,22c の表示数が判るので、遊技者は、選択用図柄表示部21での選択の段階で選択用図柄23の種類とその図柄数を把握することも可能であり、遊技者の興趣が更に向上する。
【００５３】
　図７は本発明の第３の実施形態を例示し、特別図柄変動制御手段35に、遊技中に所定条件（選択用図柄変更条件）の成立に基づいて、選択用図柄表示部21の選択用図柄23の図柄数及び種類数を減少させる機能を備えたものである。
【００５４】
　特別図柄変動制御手段35の選択用図柄表示制御部37には、所定条件（選択用図柄変更条件）として、例えば抽選結果判定部36によるリーチ演出の判定があることが設定されており、特別図柄表示部20a,20b の特別図柄22a,22b が揃うリーチ状態となったときに、選択用図柄表示制御部37の制御により、例えば図７（Ａ）の１０個から図７（Ｂ）の５個へと選択用図柄23の図柄数及び種類数を減少させるようにしている。
【００５５】
　図柄数は例えば半分の５個であり、また種類数はリーチ図柄を含む半分の５個である。なお、減少前に選択用図柄表示部21に表示される選択用図柄23には、同一種類のものが複数個あっても良い。また選択用図柄23は、図柄数の減少により、個々の大きさが大きくなる。
【００５６】
　この実施形態では、変動動作の開始時点には選択用図柄表示部21に、図７（Ａ）に示すように１０個の選択用図柄23が表示され、前述と同様の選択動作で左側の２個の特別図柄表示部20a,20b に表示される特別図柄22a,22b が順次選択されて行く。
【００５７】
　そして、この２個の特別図柄表示部20a,20b に表示される特別図柄22a,22b が例えば同じ「７」を表示する等、リーチ状態になれば、選択用図柄表示制御部37の制御により、選択用図柄表示部21に表示される選択用図柄23の図柄数及び種類数が図７（Ｂ）の５個に減少し、そのリーチ図柄と同じ図柄を含む５個の選択用図柄23の中から右の特別図柄表示部20c に表示される特別図柄22c を選択することになる。
【００５８】
　従って、選択用図柄23において図柄「７」が選択される可能性が見掛け上２倍になり、遊技者の特定表示に対する期待感が著しく増大し、図柄変動時の演出効果と相俟って遊技者の興趣が向上する利点がある。
【００５９】
　なお、リーチ状態になったときに、選択用図柄表示部21の複数種類の選択用図柄23の内、一部の種類の選択用図柄23を他の種類の選択用図柄23に置換して、選択用図柄23の図柄数を同じにし、その種類数を減少させるようにしても良い。例えば、変更前の選択用図柄23の図７（Ａ）の１０種類、１０個から、その偶数図柄（「０」を含む）を奇数図柄に一時的に置換して、図７（Ｃ）に示すように、奇数図柄の５種類、１０個に種類数を減少させても良い。
【００６０】
　その他、所定条件の成立に基づいて、選択用図柄表示部21の選択用図柄23の図柄数及び／又は種類数を増加させるようにしても良いし、増加と減少を繰り返すようにしても良い。要するに所定条件の成立に基づいて、選択用図柄23の図柄数及び／又は種類数を増加及び／又は減少させるような構成を採用することも可能である。
【００６１】
　図８は本発明の第４の実施形態を例示し、特別図柄変動制御手段35の選択用図柄表示制御部37に、選択指示部24を選択用図柄表示部21の所定位置に固定的に表示する機能と、「０」〜「９」の複数種類の選択用図柄23をａ矢示方向へとスクロールさせる機能と、選択指示部24と複数種類の選択用図柄23とを相対移動させる機能とを持たせたものである。
【００６２】
　この実施形態では、「０」〜「９」の選択用図柄23がａ矢示方向へと目視可能な速度でスクロールし、この選択用図柄23がスクロール中に極く短時間停止するか、又は選択指示部24の色が変化したときに、選択指示部24に対応する選択用図柄23、例えば図柄「９」を選択して、その図柄「９」を左の特別図柄表示部20a に停止表示する。
【００６３】
　このように複数種類の選択用図柄23の中で１個又は複数個の選択用図柄23を選択指示部24によって指示して選択する場合、その複数種類の選択用図柄23と選択指示部24とを相対的に移動させれば良い。
【００６４】
　なお、図８に示すように、選択指示部24を選択用図柄表示部21の所定位置で略停止させておき、複数種類の選択用図柄23をａ矢示方向に間欠的にスクロールさせ、複数個の選択用図柄23が停止したときに、その選択指示部24に対応する選択用図柄23を選択する場合、その選択指示部24を拡大、縮小させる等によって、複数種類の選択用図柄23の中から１個又は複数個の選択用図柄23を選択するようにしても良い。またこの場合にも、選択用図柄23の図柄数、種類数を増加及び／又は減少させるようにしても良い。
【００６５】
　図９は本発明の第５の実施形態を例示し、特別図柄変動制御手段35の選択用図柄表示制御部37に、選択用図柄表示部21に表示される複数種類の選択用図柄23を経時的、択一的に変動表示させる機能を備えたものである。
【００６６】
　即ち、この実施形態では、図９（Ａ）に示すように、選択用図柄表示部21の所定位置に１個（又は複数個）の選択用図柄23をスクロール等の変動形態で変動表示する。選択用図柄23には、例えば図９（Ｂ）に示すように、「０」〜「９」までの１０種類があり、その１０種類の選択用図柄23を１単位とする図柄列23a に従って、選択用図柄表示部21に表示される選択用図柄23が変動する。そして、選択用図柄表示部21に順次変動表示される選択用図柄23を適宜タイミングで選択して、各特別図柄表示部20a,20b,20c に特別図柄22a,22b,22c として停止表示する。
【００６７】
　このように選択用図柄表示部21に複数種類の選択用図柄23を１個（又は複数個）づつ変動表示しておき、その選択用図柄23を適宜タイミングで選択して、各特別図柄表示部20a,20b,20c に特別図柄22a,22b,22c として停止表示させる形態の場合にも、図柄変動時の演出効果が向上し遊技者の興趣を喚起できる。
【００６８】
　なお、選択用図柄表示部21の選択用図柄23を１個の特別図柄表示部20a,20b,20c に対して複数回選択して、特別図柄表示部20a,20b,20c に複数個（２個又は３個程度）の特別図柄22a,22b,22c を停止表示するように構成しても良い。また図柄列23a の図柄数、種類数を増加及び／又は減少させるようにしても良い。
【００６９】
　図１０は本発明の第６の実施形態を例示し、特別図柄変動制御手段35の選択用図柄表示制御部37の制御により、選択用図柄表示部21に通常数（所定数）の選択用図柄23を表示させておき、最終的に特別図柄22a,22b,22c が特定表示となるように大当たり乱数値を抽選する場合、或いはリーチ状態を経て最終的に非特定図柄を表示する場合等、リーチ演出判定等の所定条件が成立することに基づいて、選択用図柄23の選択動作に入る前に選択用図柄表示部21に表示される選択用図柄23の図柄数及び種類数を減少させる機能を備えたものである。
【００７０】
　例えば、図柄変動の開始後は、図１０（Ａ）に示すように、選択用図柄表示部21に通常数の選択用図柄23を表示している。そして、所定条件が成立すれば、選択用図柄23の選択動作に入る前に、図１０（Ｂ）に示すように、選択用図柄表示部21の選択用図柄23を、停止図柄決定用乱数により決定された種類の図柄を含む例えば３個程度の少数個（２〜４個程度）まで減少させる。
【００７１】
　今、仮に選択用図柄23が「１」「２」「３」の３種類に減少したとすると、図１０（Ｂ）〜（Ｄ）に示すように、その３種類の選択用図柄23の中から１個の選択用図柄23を順次選択し、それを特別図柄表示部20a,20b,20c に特別図柄22a,22b,22c として停止表示させて行く。
【００７２】
　この場合には選択用図柄表示部21に表示される選択用図柄23を通常数の１０個、１０種類から３個、３種類に減少させ、その中から各特別図柄表示部20a,20b,20c に停止表示される特別図柄22a,22b,22c を決定するようにしているので、遊技者の特定表示に対する期待感が増大する利点がある。
【００７３】
各実施形態に例示するように、図柄始動手段13と、該図柄始動手段13が遊技球を検出したことを条件に複数個の抽選用図柄表示部20a,20b,20c に複数種類の抽選用図柄22a,22b,22c を選択的に停止表示可能な図柄表示手段19と、該図柄表示手段19の停止図柄が予め定められた特定図柄の組み合わせとなったときに、遊技者に有利な特別遊技状態を発生させる特別遊技状態発生手段39とを備えた弾球遊技機において、図柄表示手段19は、選択用図柄23を表示可能な選択用図柄表示部21を備え、該選択用図柄表示部21に表示される選択用図柄23の内、少なくとも一つを選択して抽選用図柄表示部20a,20b,20c に抽選用遊技図柄22a,22b,22c として停止表示させる機能を備えることにより、図柄変動時の演出効果が向上して遊技者の興趣を喚起できる。
【００７４】
　また選択用図柄表示部21は、各抽選用図柄表示部20a,20b,20c の抽選用遊技図柄に共通の選択用図柄23を表示可能であり、該選択用図柄表示部21の選択用図柄23を選択して各抽選用図柄表示部20a,20b,20c に抽選用遊技図柄22a,22b,22c として停止表示させる機能を備えているので、各図柄表示部毎に選択用図柄表示部21を設ける場合に比較して、図柄表示手段19上に選択用図柄表示部21及び抽選用図柄表示部20a,20b,20c を容易に確保できる。
【００７５】
　更に選択用図柄表示部21は、同時又は経時的に複数種類の選択用図柄23を表示可能であるため、遊技者が容易に選択用図柄23を把握できる。しかも所定条件の成立に基づいて、選択用図柄表示部21の選択用図柄23の図柄数及び／又は種類数を増加及び／又は減少させる機能を備えているので、遊技者の興趣を更に増大できる。
【００７６】
　また所定条件の成立に基づいて、選択用図柄表示部21の選択用図柄23を複数個選択し、該複数個の選択用図柄23を抽選用図柄表示部20a,20b,20c に抽選用遊技図柄22a,22b,22c として停止表示可能にする機能を備えているので、遊技者の特定表示への期待感を増大させることができる。
【００７７】
　更に選択用図柄表示部21は、該選択用図柄表示部21に表示される選択用図柄23と、複数種類の選択用図柄23の内から抽選用図柄表示部20a,20b,20c に抽選用遊技図柄22a,22b,22c として選択表示すべき図柄を指示する選択指示部24とを相対移動可能に表示する機能を備えているので、選択指示部24で各選択用図柄23を指示しながら選択でき、実際に選択される図柄を遊技者が容易に把握できる。しかも抽選用図柄表示部20a,20b,20c は、選択用図柄23を所定方向に変動表示可能であるため、選択用図柄23の選択の不規則性を演出できる。
【００７８】
　以上、本発明の各実施形態について詳述したが、本発明は、各実施形態に限定されるものではない。例えば、実施形態では、３個の特別図柄表示部20a,20b,20c に表示される特別図柄22a,22b,22c の全てについて、選択用図柄表示部21の選択用図柄23を選択して、それを特別図柄22a,22b,22c として停止表示するようにしている。
【００７９】
　しかし、複数個の特別図柄表示部20a,20b,20c の内、その一部、例えば特別図柄表示部20a,20b,20c の特別図柄22a,22b,22c を、その特別図柄表示部20a,20b,20c 内で変動するスクロール等の変動形態で変動させ、残りの特別図柄表示部20a,20b,20c の特別図柄22a,22b,22c に、各実施形態に例示のような変動形態を採用しても良い。
【００８０】
　その場合、前者の特別図柄表示部20a,20b,20c 内での変動形態と、後者の変動形態とで同時並行的に各特別図柄22a,22b,22c を変動させても良いし、前者又は後者による変動を先行させ、その後に後者又は前者による変動を行うようにしても良い。
【００８１】
　また複数個の特別図柄表示部20a,20b,20c の夫々に対応して選択指示部24の種類（例えば色、形状等）を変え、その異なる種類の選択指示部24で各特別図柄表示部20a,20b,20c の特別図柄22a,22b,22c を指示するようにしても良い。例えば、選択指示部24の色を赤、青、緑とし、赤の選択指示部24で左の特別図柄表示部20a の特別図柄22a を、青の選択指示部24で右の特別図柄表示部20c の特別図柄22ｃを、緑の選択指示部24で中の特別図柄表示部20b の特別図柄22b を夫々指示するようにしても良い。
【００８２】
また実施形態では、本発明を特別図柄表示手段19の特別図柄22a,22b,22c の図柄変動方式に採用しているが、普通図柄表示手段25の普通図柄の図柄変動方式に採用しても良い。従って、抽選用遊技図柄は特別図柄22a,22b,22c 、普通図柄の何れでも良い。更に各実施形態に例示のものを夫々組み合わせて併用することも可能である。その他、本発明は、パチンコ機は勿論のこと、アレンジボール機、雀球遊技機等の弾球遊技機でも同様に実施可能である。
【図面の簡単な説明】
【００８３】
【図１】本発明の第１の実施形態を示す弾球遊技機の正面図である。
【図２】本発明の第１の実施形態を示す遊技盤の正面図である。
【図３】本発明の第１の実施形態を示す特別図柄表示手段の説明図である。
【図４】本発明の第１の実施形態を示す制御系のブロック図である。
【図５】本発明の第１の実施形態を示す図柄変動過程の説明図である。
【図６】本発明の第２の実施形態を示す図柄変動過程の説明図である。
【図７】本発明の第３の実施形態を示す図柄変動過程の説明図である。
【図８】本発明の第４の実施形態を示す図柄変動過程の説明図である。
【図９】本発明の第５の実施形態を示す図柄変動過程の説明図である。
【図１０】本発明の第６の実施形態を示す図柄変動過程の説明図である。
【符号の説明】
【００８４】
13  特別図柄始動手段
19  特別図柄表示手段
20a,20b,20c   特別図柄表示部（抽選用図柄表示部）
　21  選択用図柄表示部
22a,22b,22c   特別図柄（抽選用図柄）
　23  選択用図柄
　24  選択指示部
39  特別遊技状態発生手段
【図１】
2004000798.tif 000003
【図２】
2004000798.tif 000004
【図３】
2004000798.tif 000005
【図４】
2004000798.tif 000006
【図５】
2004000798.tif 000007
【図６】
2004000798.tif 000008
【図７】
2004000798.tif 000009
【図８】
2004000798.tif 000010
【図９】
2004000798.tif 000011
【図１０】
2004000798.tif 000012